(57)【要約】【課題】地震等で停電しても、非常灯を長時間点灯させることができると共に、構造が簡単で、製造コストを低減できる照明器具を提供する。【解決手段】ランプ２２を点灯させる照明灯用回路２１と、バッテリ３６及びバッテリ３６とランプ２２との間に接続された非常灯点灯ユニット３５を備えた非常灯用回路３４と、からなる照明器具１０である。そして、バッテリ３６と非常灯点灯ユニット３５との間に、バッテリ３６から非常灯点灯ユニット３５への電流の流れを規制する電子素子３１を接続した。【選択図】図２
2009272135.tif 000002
【特許請求の範囲】
【請求項１】
ランプを点灯させる照明灯用回路と、バッテリ及び前記バッテリと前記ランプとの間に接続された非常灯点灯ユニットを備えた非常灯用回路と、からなる照明器具であって、
前記バッテリと前記非常灯点灯ユニットとの間に、前記バッテリから前記非常灯点灯ユニットへの電流の流れを規制する電子素子を、接続したことを特徴とする照明器具。
【請求項２】
前記電子素子が、ダイオードであることを特徴とする請求項１に記載の照明器具。
【請求項３】
ランプを点灯させる照明灯用回路と、バッテリ及び前記バッテリと前記ランプとの間に接続された非常灯点灯ユニットを備えた非常灯用回路と、からなる照明器具であって、
前記バッテリと前記非常灯点灯ユニットとの間に、前記バッテリから前記非常灯点灯ユニットへの電流の流れを遮断するリレーを、接続したことを特徴とする照明器具。
【請求項４】
前記照明灯用回路が、電源からの電力供給をオン又はオフするスイッチを介して前記電源に接続され、
前記非常灯用回路が、前記電源に直接、接続されたことを特徴とする請求項１ないし３のいずれか１項に記載の照明器具。
【請求項５】
前記ランプを覆う照明カバーの外側に、非常灯を配設したことを特徴とする請求項１ないし４のいずれか１項に記載の照明器具。
【請求項６】
前記ランプを覆う照明カバーの内側に、非常灯を配設したことを特徴とする請求項１ないし４のいずれか１項に記載の照明器具。
【請求項７】
前記非常灯が、ＬＥＤであることを特徴とする請求項１ないし６のいずれか１項に記載の照明器具。
【発明の詳細な説明】
【技術分野】
【０００１】
本発明は、地震等で停電しても、長時間、点灯させることができる非常灯を備えた照明器具に関する。
【背景技術】
【０００２】
従来、地震等で停電しても、避難する際の誘導灯として非常灯を点灯させる照明器具が提案されている。
【０００３】
例えば、外部電源の停電を検出する停電検出手段から停電信号を受けると、切り替え回路により、常用点灯回路から非常用電灯回路に接続を切り替えて、非常灯を点灯させる照明器具が開示されている（特許文献１参照）。
【０００４】
しかし、前述の照明器具では、停電検出手段と切り替え回路とを必要とし、構造が複雑になり、製造コストが増加するという問題があった。
【０００５】
一方、停電になると、内蔵するバッテリの充電電力で、非常灯としてランプを点灯させる照明器具が使用されている。
【特許文献１】特開２００６−１４００６７号公報
【発明の開示】
【発明が解決しようとする課題】
【０００６】
しかし、例えば、下水処理施設のポンプ室等、地下に設けられた施設に前記照明器具を使用しても、地震等で停電した後、バッテリの充電電力では、ランプは６０分程度しか点灯しない。このため、６０分間に避難ができなかった場合には暗闇の中を手探りで避難しなければならず、危険であった。
【０００７】
本発明は、前記従来の問題点に鑑みてなされたもので、地震等で停電しても、非常灯を長時間点灯させることができると共に、構造が簡単で製造コストを低減できる照明器具を提供することを課題とする。
【課題を解決するための手段】
【０００８】
前記課題を解決するための手段として、本発明に係る照明器具は、ランプを点灯させる照明灯用回路と、バッテリ及び前記バッテリと前記ランプとの間に接続された非常灯点灯ユニットを備えた非常灯用回路と、からなる照明器具であって、前記バッテリと前記非常灯点灯ユニットとの間に、前記バッテリから前記非常灯点灯ユニットへの電流の流れを規制する電子素子を、接続したものである。
【発明の効果】
【０００９】
本発明によれば、バッテリと非常灯点灯ユニットとの間に、バッテリから非常灯点灯ユニットへの電流の流れを規制する電子素子が接続されている。このため、地震等で停電しても、非常灯用回路内でバッテリから電流が非常灯点灯ユニットに流れないと共に、バッテリから電流がランプにも流れず、無駄な放電を防止でき、非常灯を長時間、例えば３日間、連続して点灯させることができる。
【００１０】
本実施形態として、前記電子素子が、ダイオードであることが好ましい。
本実施形態によれば、ダイオードを使用することで、製造コストを低減できると共に、耐久性に優れた照明器具が得られる。
【００１１】
他の発明としては、ランプを点灯させる照明灯用回路と、バッテリ及び前記バッテリと前記ランプとの間に接続された非常灯点灯ユニットを備えた非常灯用回路と、からなる照明器具であって、前記バッテリと前記非常灯点灯ユニットとの間に、前記バッテリから前記非常灯点灯ユニットへの電流の流れを遮断するリレーを、接続してもよい。
本発明によれば、バッテリと非常灯点灯ユニットとの間に、バッテリから非常灯点灯ユニットへの電流の流れを遮断するリレーが接続されている。このため、地震等で停電しても、非常灯用回路内でバッテリから電流が非常灯点灯ユニットに流れないと共に、バッテリから電流がランプにも流れず、無駄な放電を防止でき、非常灯を長時間、例えば３日間、連続して点灯させることができる。
【００１２】
本発明の実施形態としては、前記照明灯用回路は、電源からの電力供給をオン又はオフするスイッチを介して前記電源に接続され、前記非常灯用回路は、前記電源に直接、接続されたことが好ましい。
本実施形態によれば、照明灯用回路が、電源からの電力供給をオン又はオフするスイッチを介して電源に接続されているため、スイッチをオン又はオフすることでランプを点灯または消灯することができる。また、非常灯用回路は、スイッチを介さずに電源に直接、接続されているので、スイッチのオンまたはオフに関わらずに、常に非常灯を点灯でき、常夜灯として使用できる。
【００１３】
本発明の異なる実施形態としては、ランプを覆う照明カバーの外側に、非常灯を配設したものである。
本実施形態によれば、非常灯が照明カバーの外側に配設されているので、照明器具の両方向から非常灯を視認できる。
【００１４】
本発明に係る別の実施形態としては、ランプを覆う照明カバーの内側に、非常灯を配設してもよい。
本実施形態によれば、非常灯が照明カバーの内側に配設されているので、湿気や埃などの影響を直接受けにくいので、耐久性が向上し、長期間、使用できる。
【００１５】
本発明の他の実施形態としては、前記非常灯が、ＬＥＤであることが好ましい。
本実施形態によれば、非常灯がＬＥＤであるので、少ない消費電力で長期間使用できるという効果がある。
【発明を実施するための最良の形態】
【００１６】
次に添付図面を参照して、本発明の実施形態を詳細に説明する。
【００１７】
図１に、本発明の第１実施形態に係る照明器具１０を示す。
本実施形態の照明器具１０は、板状フレーム１２と、板状フレーム１２にねじ１３を介して固定された透光性の照明カバー１４と、照明カバー１４の外側両端に配設された非常灯であるＬＥＤ３３とを有するものである。そして、照明器具１０は、板状フレーム１２に形成された取付孔１２ａを介して、天壁または側壁などに設置される。また、前記照明器具１０は、例えば、建物やビルの室内などに使用される防雨型照明器具として採用し得る。そして、図２に示す照明灯用回路２１と非常灯用回路３４とは、電源穴１２ｂを介して交流電源１５から、電力供給される。
【００１８】
照明カバー１４の内部には、ランプ２２と、ランプ２２の両端を保持するソケット１６と、ソケット１６が取り付けられた支持台１７と、ランプ２２からの光を反射する断面台形の反射板１８とが配設されている。
【００１９】
板状フレーム１２と反射板１８との間には、電源穴１２ｂを介して交流電源１５（図２参照）に接続された端子台２３と、端子台２３に接続された安定器２４と、安定器２４にランプ２２と並列に接続された点灯管２５と、交流を直流に変換するＡＣ/ＤＣコンバータ（図示せず）を備えた非常灯点灯ユニット３５と、非常灯点灯ユニット３５にＬＥＤ３３と並列に接続されたバッテリ３６とが配設されている。
【００２０】
照明カバー１４の外側両端には、ＬＥＤ３３が配設されている。ＬＥＤ３３は、表示灯用ソケット３７を介して非常灯用取り付け金具３８に下方側に投光するように取り付けられている。非常灯用取り付け金具３８は、ねじ１３を介して板状フレーム１２の上面縁部に取り付けられている。そして、ＬＥＤ３３を照明カバー１４の両端から側方に突出するように取り付けることにより、照明器具１０の左右両方向からＬＥＤ３３を視認できる。
【００２１】
第１実施形態に係る照明器具１０は、図２に示すように、ランプ２２を有する照明灯用回路２１と、ＬＥＤ３３を有する非常灯用回路３４とを備えている。この照明灯用回路２１は、交流電源１５にスイッチ２６と端子台２３とを介して接続されている。スイッチ２６は、照明灯用回路２１への通電をオンまたはオフするものであり、図２ではオフされている。また、前記端子台２３には、照明灯用回路２１と、非常灯点灯ユニット３５を備えた非常灯用回路３４とが接続されている。
【００２２】
ランプ２２（例えば、ＦＬ２０ＳＳ/１８）は、安定器２４（例えば、ＦＬ２０Ｗ）を介して端子台２３に接続されている。ランプ２２には、点灯管２５が並列に接続されている。
【００２３】
また、前記端子台２３を介して交流電源１５に接続された非常灯点灯ユニット３５（例えば、５０/６０Ｈｚ  １００ー２５４Ｖ）には、ダイオード３１（例えば、８０ｖー１３０ｍＡ）を介して２つのＬＥＤ３３（例えば、５Ｖー１３ｍＡ）が並列に接続されている。
【００２４】
更に、非常灯点灯ユニット３５には、コネクタ４０とヒューズ３２とを介し、バッテリ３６（例えば、４．８Ｖ３０００ｍＡ）が接続されている。バッテリ３６は、ＬＥＤ３３と並列に非常灯点灯ユニット３５に接続されている。
【００２５】
以上の構成からなる照明器具１０の動作を説明する。
まず、スイッチ２６がオフの状態では、交流電源１５は照明灯用回路２１に通電せず、ランプ２２は点灯しない。一方、交流電源１５からの電流が端子台２３を介して非常灯点灯ユニット３５に流れる。非常灯点灯ユニット３５内のＡＣ/ＤＣコンバータ（図示せず）で交流から直流に変換された電流がダイオード３１を介してＬＥＤ３３に流れ、ＬＥＤ３３を点灯させると共に、コネクタ４０とヒューズ３２とを介してバッテリ３６に充電される。
【００２６】
スイッチ２６をオンすると、照明灯用回路２１にも電流が流れ、点灯管２５が放電し、ランプ２２は点灯する。一方、非常灯用回路３４は、交流電源１５に接続されているので、スイッチ２６のオン、またはオフに関わらずＬＥＤ３３は常時点灯し、常夜灯として使用できる。
【００２７】
地震等の非常時に、交流電源１５からの電力供給が停止すると、照明灯用回路２１のランプ２２が消灯すると共に、非常灯用回路３４にも通電しなくなる。しかし、ダイオード３１により、ＬＥＤ３３とバッテリ３６とヒューズ３２とからなる非常灯用回路３４が、独立回路となる。このため、非常灯用回路３４は、バッテリ３６からヒューズ３２とコネクタ４０とを介して、ＬＥＤ３３に通電し、点灯し続ける。従って、交流電源１５からの電力の供給が停止しても、ＬＥＤ３３が点灯しているので、地震等で停電しても避難誘導灯として使用できる。特に、ダイオード３１を接続してあるので、電流が非常灯点灯ユニット３５とランプ２２とに流れず、無駄な放電を防止でき、ＬＥＤ３３を長時間、例えば３日間、連続して点灯させることができる。また、ダイオード３１により非常灯用回路３４を独立回路とすることができるので、仮に照明灯用回路２１から非常灯用回路３４に切り替えるための切り替え回路を用いた場合と比べて、照明器具１０の構造が簡単になり、製造コストを低減できる。
【００２８】
なお、照明灯用回路２１と非常灯用回路３４とが、端子台２３を介して交流電源１５に接続されていない場合に、充電済みのバッテリ３６とヒューズ３２とを、コネクタ４０を介してＬＥＤ３３の両端に接続すると、交流電源１５に接続されていなくとも、バッテリ３６からＬＥＤ３３に電源が流れ、ＬＥＤ３３が点灯する。従って、非常灯用回路３４が端子台２３を介して交流電源１５に接続された直後に、地震等で停電しても、ＬＥＤ３３が点灯し、避難誘導灯として使用できる。
【００２９】
前記第１実施形態に係る照明器具１０では、ＬＥＤ３３を照明カバー１４の外側両端に取り付けたが、図３に示す第２実施形態に係る照明器具１１のように、ＬＥＤ３３を照明カバー１４の内側に配置してもよい。具体的には、ＬＥＤ３３は、表示灯用ソケット（図示せず）を介して支持台１７に取り付けられ、反射板１８の切欠き部１８ａから突出している。第２実施形態によれば、ＬＥＤ３３は、湿気や埃などの影響を直接受けにくいので、耐久性が向上し、長期間、使用できる。
【００３０】
また、図４に示すように、ダイオード３１に代わってリレー４１を使用してもよい。この場合には、交流電源１５に接続された図示しない制御回路を介して接続されたリレー４１は、コイル（図示せず）に電圧が印加されたオン状態であり、ＬＥＤ３３を前記交流電源１５に接続している。そして、地震等の非常時に交流電源１５からの電力供給が停止すると、リレー４１がオフ状態になり、バッテリ３６と非常灯点灯ユニット３５との間を遮断する。このため、電流が非常灯点灯ユニット３５とランプ２２とに流れず、無駄な放電を防止でき、ＬＥＤ３３を長時間、例えば３日間、連続して点灯させることができる。
【産業上の利用可能性】
【００３１】
本発明に係る照明器具は、地下に設けられた施設に限らず、建物やビル等の一般の照明器具にも適用できる。
【図面の簡単な説明】
【００３２】
【図１】図１Ａは本発明の第１実施形態に係る照明器具の上面図、図１Ｂはその破断正面断面図、図１Ｃはその破断側面断面図である。
【図２】ダイオードを用いた図１に係る照明器具の回路図である。
【図３】図３Ａは本発明の第２実施形態に係る照明器具の上面図、図３Ｂはその破断正面断面図、図３Ｃは図３ＢのＣーＣ線断面図である。
【図４】リレーを用いた本発明の実施形態に係る照明器具の回路図である。
【符号の説明】
【００３３】
１０  照明器具（第１実施形態）
１１  照明器具（第２実施形態）
１４  照明カバー
２１  照明灯用回路
２２  ランプ
２６  スイッチ
３１  ダイオード（電子素子）
３３  ＬＥＤ（非常灯）
３４  非常灯用回路
３５  非常灯点灯ユニット
３６  バッテリ
４１  リレー
【図１】
2009272135.tif 000003
【図２】
2009272135.tif 000004
【図３】
2009272135.tif 000005
【図４】
2009272135.tif 000006